(57)【要約】【課題】コンクリートの仕上がり面に目違いが発生することがなく、かつ、型枠本体からの脱落を防止するとともに、脱枠が容易な掃除窓枠を有する型枠を提供する。【解決手段】掃除窓枠を有する型枠であって、前記掃除窓枠は型枠本体の端部を切り欠いて形成した掃除窓と同形状であり、前記掃除窓枠と前記掃除窓には、前記掃除窓枠の脱落を防止する脱落防止機構を設ける。【選択図】図１
2016204967.tif 000002
【特許請求の範囲】
【請求項１】
掃除窓枠を有する型枠であって、
前記掃除窓枠は型枠本体の端部を切り欠いて形成した掃除窓と同形状であり、
前記掃除窓枠と前記掃除窓には、前記掃除窓枠の脱落を防止する脱落防止機構を少なくとも一種以上設けることを特徴とする型枠。
【請求項２】
請求項１に記載の掃除窓枠を有する型枠において、
前記脱落防止機構は、前記掃除窓枠の挿入方向の先端に設けたピンと、前記掃除窓に設け、前記ピンを収容するピン穴と、からなることを特徴とする型枠。
【請求項３】
請求項１または２に記載の掃除窓枠を有する型枠において、
前記脱落防止機構は、前記掃除窓枠の挿入方向側面が下方に向けて内側に傾斜するように、前記掃除窓枠および前記掃除窓にテーパをつけた形状で構成することを特徴とする型枠。
【発明の詳細な説明】
【技術分野】
【０００１】
本発明は、橋梁などのコンクリート構造物を構築する際に用いる型枠に関し、特に掃除窓枠を有する型枠に関する。
【背景技術】
【０００２】
橋梁などのコンクリート構造物を構築する際には型枠を使用する。
たとえば橋梁を構築する場合には、橋台や橋脚から張り出した状態で支持した水平型枠の上にコンクリートを打設して橋体を構築する方法がある。
コンクリートを打設する際には、仕上がり面の品質を確保するために、組み立てた型枠面を掃除してゴミなどを除去する必要がある。
このため、型枠には排水のための掃除窓が予め設けられる。
特許文献１には、型枠内の掃除のための掃除口装置が開示されている。
【０００３】
【特許文献１】特開２００５−３４４４９１号公報
【発明の概要】
【発明が解決しようとする課題】
【０００４】
この型枠のうち、水平型枠は、加工精度が高くコンクリートの仕上がり面が平滑となる鋼製型枠が用いられる。この鋼製型枠に掃除窓を形成する際には、型枠として用いられるＳＵＳ枠と同一形状であり、かつ挿入・脱枠が容易な薄型の窓枠を使用することが一般的である。
しかし、窓枠は周囲の鋼製型枠より薄いため、そのままでは型枠保持材との間に隙間が発生するため、隙間を埋める作業が必要となる。
この隙間を埋める作業が不十分な場合、コンクリートの仕上がり面に目違いが発生してしまう場合がある。
【０００５】
そこで、本発明は、コンクリートの仕上がり面に目違いが発生することがなく、かつ、型枠本体からの脱落を防止するとともに、脱枠が容易な掃除窓枠を有する型枠を提供することを、少なくとも目的の１つとする。
【課題を解決するための手段】
【０００６】
上記課題を解決するためになされた本願の第１発明は、掃除窓枠を有する型枠であって、前記掃除窓枠は型枠本体の端部を切り欠いて形成した掃除窓と同形状であり、前記掃除窓枠と前記掃除窓には、前記掃除窓枠の脱落を防止する脱落防止機構を少なくとも一種以上設けることを特徴とする型枠を提供する。
本願の第２発明は、前記第１発明の掃除窓枠を有する型枠において、前記脱落防止機構は、前記掃除窓枠の挿入方向の先端に設けたピンと、前記掃除窓に設け、前記ピンを収容するピン穴と、からなることを特徴とする。
本願の第３発明は、前記第１発明または第２発明の掃除窓枠を有する型枠において、前記脱落防止機構は、前記掃除窓枠の挿入方向側面が下方に向けて内側に傾斜するように、前記掃除窓枠および前記掃除窓にテーパをつけた形状で構成することを特徴とする。
【発明の効果】
【０００７】
本発明によれば、以下に記載する効果を奏する。
（１）掃除窓と同形状の掃除窓枠であるため、型枠保持材との間の隙間埋めを行う必要がない。
（２）掃除窓と掃除窓枠に脱落防止機構を設けることにより、掃除窓枠が型枠本体から脱落することを防止する。
（３）掃除窓枠に設けたピンを掃除窓に設けたピン穴に収容することにより、掃除窓枠の脱落防止と同時に掃除窓枠の位置決めを行うことができる。
（４）位置決めを行うことにより、型枠面が均一となり、コンクリートの仕上がり面に目違いが発生することがない。
【図面の簡単な説明】
【０００８】
【図１】本発明に係る掃除窓枠を有する型枠の分解斜視図
【図２】掃除窓枠の斜視図
【図３】掃除窓枠の固定方法の説明図
【図４】掃除窓枠を固定した状態の斜視図
【図５】掃除窓枠および型枠本体の断面図
【図６】掃除窓枠の脱枠方法の説明図（１）
【図７】掃除窓枠の脱枠方法の説明図（２）
【発明を実施するための形態】
【０００９】
以下、図面を参照しながら本発明の実施例について説明する。
【実施例１】
【００１０】
＜１＞掃除窓枠を有する型枠
本発明に係る、掃除窓を有する型枠１は、鋼製の型枠本体２と、型枠本体２に嵌合する掃除窓枠３と、からなる。（図１）
型枠本体２は、平板状の板体であり、端部を切り欠いて掃除窓２１を形成する。
【００１１】
＜２＞掃除窓枠
掃除窓枠３は、掃除窓２１を閉塞するための部材である。
掃除窓枠３は、掃除窓２１に取り付けた際に、それぞれの型枠面が同一平面となるように構成する。
上記構成を実現する一例としては、掃除窓枠３を掃除窓２１と略同形状とし、掃除窓枠３の厚さも型枠本体２と同一とする態様が考えられる。
本態様で掃除窓枠３を掃除窓２１に嵌合すると、型枠面が均一な型枠１となり、コンクリートの仕上がり面に目違いが発生することがない。また、背面側も均一となるため、型枠保持材で保持する際に隙間埋めの作業が不要となる。
【００１２】
＜２．１＞掃除窓枠の各部
掃除窓枠３は、型枠１の型枠面となる表面３１、型枠本体２の型枠端面２２と同一平面となる端面３２、端面３２と対向する挿入面３３、および、表面３１、端面３２、挿入面３３の三面に接する側面３４を有する。（図２）
掃除窓枠３の端面３２には、板体からなる固定部３５を取り付ける。
【００１３】
＜２．２＞掃除窓との関係
掃除窓枠３は、挿入面３３が掃除窓２１の窓端面２１１に当接するように嵌合する。
掃除窓枠３は、型枠本体２の上方からではなく、型枠端面２２方向から掃除窓２１に挿入して嵌合する。（図３）
掃除窓２１および掃除窓枠３は、平面視長方形、または掃除窓２１の内側面２１２および掃除窓枠３の側面３４に掃除窓枠３の挿入方向に先細りするテーパをつけた平面視台形状とする。当該平面視台形状とすると、掃除窓枠３の掃除窓２１への挿入および掃除窓２１からの引き抜きが容易となる。
【００１４】
＜３＞脱落防止機構
掃除窓２１および掃除窓枠３との間には、脱落防止機構を設ける。
以下、脱落防止機構の各例について説明する。
【００１５】
＜３．１＞ピンによる脱落防止
掃除窓枠３の挿入面３３に、該挿入面から突出するよう延びるピン３６を設ける。そして、掃除窓２１の窓端面２１１にピン３６に対応するピン穴２３を形成する。（図３）
このピン穴２３にピン３６を差し込んで収容することで、型枠本体２に掃除窓枠３の位置が固定され、掃除窓枠３が掃除窓２１から脱落することを防止できる。
また、ピン穴２３によりピン３６の位置が決定されると同時に、掃除窓枠３の位置も決定される。このように、掃除窓２１に対する掃除窓枠３の位置決めが容易であるため、掃除窓枠の取付作業が容易となり、型枠１の型枠面も均一化も簡易に実現できる。
掃除窓枠３の固定部３５は、両端を端面３２から突設し、突設部３５１を設ける。
そして、突設部３５１および型枠端面２２にそれぞれボルト孔３５２、２２１を設け、ボルト孔３５２、２２１に挿通して螺合するボルト４によって掃除窓枠３を型枠本体２に固定する。（図４）
このピン３６による固定と、ボルト４による固定でもって、掃除窓枠２１は挿入方向における両端で支持された状態となり、片持ち状態を回避して型枠面の均一化に一層寄与することとなる。
【００１６】
＜３．２＞側面形状による脱落防止
掃除窓２１の内側面２１２は、下方向に先細りとなるようにテーパをつけることができる。また、掃除窓枠３の側面３４も、掃除窓２１の内側面２１２に対応するように、下方向に先細りとなるテーパをつけても良い。（図５）
掃除窓２１および掃除窓枠３にテーパをつけることにより、掃除窓枠３の脱着時に、掃除窓枠３が掃除窓２１から脱落することを防止できる。
【００１７】
＜４＞掃除窓枠の脱枠方法
掃除窓枠３の固定部３５の突設部３５１には、押しボルト３５３を設ける。
押しボルト３５３は、通常時は先端が固定部３５から型枠本体２側に突設せず、押し込むことにより先端が型枠本体２側に突設するように構成する。押しボルト３５３を押し込んだあと、通常時の位置に戻るように弾性体３５４を設けてもよい。
押しボルト３５３を押し込むことにより、押しボルト３５３の先端を型枠本体２の型枠端面２２に押し当てることで、押しボルト３５３の反力により掃除窓枠３を型枠本体２から容易に脱枠することができる。（図６）
【００１８】
＜４．１＞押しボルトの反力先
型枠１は複数枚を横方向に並列して使用する。そこで、固定部３５の突設部３５１を、型枠本体２ａの型枠端面２２ａから延出する長さとし、押しボルト３５３の先端を、隣接する型枠１ｂの型枠端面２２ｂに押し当て可能に構成してもよい。（図７）
このように構成することにより、掃除窓枠３を取り付けた型枠本体２ａが固定されていない状態であっても、隣接する型枠１ｂから反力を得て脱枠することができる。
【実施例２】
【００１９】
前記した実施例１では、脱落防止機構について、ピンによる脱落防止と、側面形状による脱落防止の両方を採用しているが、本発明に係る型枠はそのうちの一方のみを採用してもよい。
【符号の説明】
【００２０】
１      掃除窓を有する型枠
２      型枠本体
２１    掃除窓
２１１  窓端面
２１２  内側面
２２    型枠端面
２２１  ボルト孔
２３    ピン穴
３      掃除窓枠
３１    表面
３２    端面
３３    挿入面
３４    側面
３５    固定部
３５１  突設部
３５２  ボルト孔
３５３  押しボルト
３５４  弾性体
３６    ピン
４      ボルト
【図１】
2016204967.tif 000003
【図２】
2016204967.tif 000004
【図３】
2016204967.tif 000005
【図４】
2016204967.tif 000006
【図５】
2016204967.tif 000007
【図６】
2016204967.tif 000008
【図７】
2016204967.tif 000009